【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
他のテレビジョン放送受信装置と通信可能に接続されたテレビジョン放送受信装置であって、
当該テレビジョン放送受信装置で受信可能な第１の番組情報を記憶する第１の記憶手段と、
前記他のテレビジョン放送受信装置で受信可能な第２の番組情報を、当該他のテレビジョン放送受信装置から取得する取得手段と、
取得した前記第２の番組情報を記憶する第２の記憶手段と、
前記第１の番組情報と前記第２の番組情報とに基づいて、前記テレビジョン放送受信装置のチャンネル選局とともに、前記他のテレビジョン放送受信装置のチャンネル選局を制御するための第３の番組情報を生成する生成手段と、
前記第３の番組情報を前記他のテレビジョン放送受信装置に送出する送出手段と、
前記第３の番組情報を用いて、前記テレビジョン放送受信装置で受信するチャンネルの選局処理を実行するとともに、送出した前記第３の番組情報に設定された当該チャンネルの選局を指示するための選局通知情報を前記他のテレビジョン放送受信装置に送信する通知手段と、
を有することを特徴とするテレビジョン放送受信装置。
【請求項２】
前記生成手段は、前記第１の番組情報と前記第２の番組情報とから、同一時間帯に放送され、かつ、少なくとも番組名が同じ番組を抽出して前記第３の番組情報を生成することを特徴とする請求項１に記載のテレビジョン放送受信装置。
【請求項３】
前記生成手段は、前記第１の番組情報に含まれる所定の番組が前記第２の番組情報に存在しない場合、前記所定の番組を前記テレビジョン放送受信装置で選局したときに、前記他のテレビジョン放送受信装置では、選局不可である旨の表示を行うためのフラグを前記所定の番組に対応させて保持する前記第３の番組情報を生成することを特徴とする請求項１に記載のテレビジョン放送受信装置。
【請求項４】
他のテレビジョン放送受信装置と通信可能に接続されたテレビジョン放送受信装置の制御方法であって、
当該テレビジョン放送受信装置で受信可能な第１の番組情報を所定の記憶部に記憶する第１の記憶ステップと、
前記他のテレビジョン放送受信装置で受信可能な第２の番組情報を、当該他のテレビジョン放送受信装置から取得する取得ステップと、
取得した前記第２の番組情報を所定の記憶部に記憶する第２の記憶ステップと、
前記第１の番組情報と前記第２の番組情報とに基づいて、前記テレビジョン放送受信装置のチャンネル選局とともに、前記他のテレビジョン放送受信装置のチャンネル選局を制御するための第３の番組情報を生成する生成ステップと、
前記第３の番組情報を前記他のテレビジョン放送受信装置に送出する送出ステップと、
前記第３の番組情報を用いて、前記テレビジョン放送受信装置で受信するチャンネルの選局処理を実行するとともに、送出した前記第３の番組情報に設定された当該チャンネルの選局を指示するための選局通知情報を前記他のテレビジョン放送受信装置に送信する通知ステップと、
を有することを特徴とするテレビジョン放送受信装置の制御方法。
【請求項５】
前記生成ステップでは、前記第１の番組情報と前記第２の番組情報とから、同一時間帯に放送され、かつ、少なくとも番組名が同じ番組を抽出して前記第３の番組情報を生成することを特徴とする請求項４に記載のテレビジョン放送受信装置の制御方法。
【請求項６】
前記生成ステップでは、前記第１の番組情報に含まれる所定の番組が前記第２の番組情報に存在しない場合、前記所定の番組を前記テレビジョン放送受信装置で選局したときに、前記他のテレビジョン放送受信装置では、選局不可である旨の表示を行うためのフラグを前記所定の番組に対応させて保持する前記第３の番組情報を生成することを特徴とする請求項４に記載のテレビジョン放送受信装置の制御方法。
【請求項７】
他のテレビジョン放送受信装置と通信可能に接続されたテレビジョン放送受信装置であって、
当該テレビジョン放送受信装置の選局操作に基づいて、前記他のテレビジョン放送受信装置でも前記テレビジョン放送受信装置と同じチャンネルを自動的に選局するように、前記他のテレビジョン放送受信装置を制御可能な第１の視聴モードと、
当該テレビジョン放送受信装置の選局操作が行われても、前記他のテレビジョン放送受信装置の選局動作を制御しない第２の視聴モードと、
を有し、
前記少なくとも２つのモードのうち、いずれか一方のモードを選択するためのユーザ操作を受け付ける手段と、
ユーザにより選択されたモードが前記第１の視聴モードである場合、前記他のテレビジョン放送受信装置に対して、チャンネルを選局するための制御情報を通知する通知手段と、
を備えることを特徴とするテレビジョン放送受信装置。
【請求項８】
前記他のテレビジョン放送受信装置で受信可能な番組情報を取得し、当該番組情報に基づいて前記制御情報を生成する制御手段を備えることを特徴とする請求項７に記載のテレビジョン放送受信装置。
【請求項９】
他のテレビジョン放送受信装置と通信可能に接続されたテレビジョン放送受信装置の制御方法であって、
当該テレビジョン放送受信装置は、当該テレビジョン放送受信装置の選局操作に基づいて、前記他のテレビジョン放送受信装置でも前記テレビジョン放送受信装置と同じチャンネルを自動的に選局するように、前記他のテレビジョン放送受信装置を制御可能な第１の視聴モードと、
当該テレビジョン放送受信装置の選局操作が行われても、前記他のテレビジョン放送受信装置の選局動作を制御しない第２の視聴モードと、
を有し、
前記少なくとも２つのモードのうち、いずれか一方のモードを選択するためのユーザ操作を受け付けるステップと、
ユーザにより選択されたモードが前記第１の視聴モードである場合、前記他のテレビジョン放送受信装置に対して、チャンネルを選局するための制御情報を通知する通知ステップと、
を備えることを特徴とするテレビジョン放送受信装置の制御方法。
【請求項１０】
前記他のテレビジョン放送受信装置で受信可能な番組情報を取得し、当該番組情報に基づいて前記制御情報を生成する制御ステップを備えることを特徴とする請求項９に記載のテレビジョン放送受信装置の制御方法。
【手続補正２】
【補正対象書類名】明細書
【補正対象項目名】発明の名称
【補正方法】変更
【補正の内容】
【発明の名称】テレビジョン放送受信装置及びテレビジョン放送受信装置の制御方法
【手続補正３】
【補正対象書類名】明細書
【補正対象項目名】０００１
【補正方法】変更
【補正の内容】
【０００１】
本発明は、テレビジョン放送受信装置及びテレビジョン放送受信装置の制御方法に関する。
【手続補正４】
【補正対象書類名】明細書
【補正対象項目名】０００４
【補正方法】変更
【補正の内容】
【０００４】
本発明に係るテレビジョン放送受信装置は、他のテレビジョン放送受信装置と通信可能に接続されたテレビジョン放送受信装置であって、当該テレビジョン放送受信装置で受信可能な第１の番組情報を記憶する第１の記憶手段と、前記他のテレビジョン放送受信装置で受信可能な第２の番組情報を、当該他のテレビジョン放送受信装置から取得する取得手段と、取得した前記第２の番組情報を記憶する第２の記憶手段と、前記第１の番組情報と前記第２の番組情報とに基づいて、前記テレビジョン放送受信装置のチャンネル選局とともに、前記他のテレビジョン放送受信装置のチャンネル選局を制御するための第３の番組情報を生成する生成手段と、前記第３の番組情報を前記他のテレビジョン放送受信装置に送出する送出手段と、前記第３の番組情報を用いて、前記テレビジョン放送受信装置で受信するチャンネルの選局処理を実行するとともに、送出した前記第３の番組情報に設定された当該チャンネルの選局を指示するための選局通知情報を前記他のテレビジョン放送受信装置に送信する通知手段と、を有することを特徴とする。
【手続補正５】
【補正対象書類名】明細書
【補正対象項目名】０００５
【補正方法】変更
【補正の内容】
【０００５】
本発明に係るテレビジョン放送受信装置の制御方法は、他のテレビジョン放送受信装置と通信可能に接続されたテレビジョン放送受信装置の制御方法であって、当該テレビジョン放送受信装置で受信可能な第１の番組情報を所定の記憶部に記憶する第１の記憶ステップと、前記他のテレビジョン放送受信装置で受信可能な第２の番組情報を、当該他のテレビジョン放送受信装置から取得する取得ステップと、取得した前記第２の番組情報を所定の記憶部に記憶する第２の記憶ステップと、前記第１の番組情報と前記第２の番組情報とに基づいて、前記テレビジョン放送受信装置のチャンネル選局とともに、前記他のテレビジョン放送受信装置のチャンネル選局を制御するための第３の番組情報を生成する生成ステップと、前記第３の番組情報を前記他のテレビジョン放送受信装置に送出する送出ステップと、前記第３の番組情報を用いて、前記テレビジョン放送受信装置で受信するチャンネルの選局処理を実行するとともに、送出した前記第３の番組情報に設定された当該チャンネルの選局を指示するための選局通知情報を前記他のテレビジョン放送受信装置に送信する通知ステップと、を有することを特徴とする。
【手続補正６】
【補正対象書類名】明細書
【補正対象項目名】０００６
【補正方法】変更
【補正の内容】
【０００６】
本発明に係るテレビジョン放送受信装置は、他のテレビジョン放送受信装置と通信可能に接続されたテレビジョン放送受信装置であって、当該テレビジョン放送受信装置の選局操作に基づいて、前記他のテレビジョン放送受信装置でも前記テレビジョン放送受信装置と同じチャンネルを自動的に選局するように、前記他のテレビジョン放送受信装置を制御可能な第１の視聴モードと、当該テレビジョン放送受信装置の選局操作が行われても、前記他のテレビジョン放送受信装置の選局動作を制御しない第２の視聴モードと、を有し、前記少なくとも２つのモードのうち、いずれか一方のモードを選択するためのユーザ操作を受け付ける手段と、ユーザにより選択されたモードが前記第１の視聴モードである場合、前記他のテレビジョン放送受信装置に対して、チャンネルを選局するための制御情報を通知する通知手段と、を備えることを特徴とする。
【手続補正７】
【補正対象書類名】明細書
【補正対象項目名】０００７
【補正方法】変更
【補正の内容】
【０００７】
本発明に係るテレビジョン放送受信装置の制御方法は、他のテレビジョン放送受信装置と通信可能に接続されたテレビジョン放送受信装置の制御方法であって、当該テレビジョン放送受信装置は、当該テレビジョン放送受信装置の選局操作に基づいて、前記他のテレビジョン放送受信装置でも前記テレビジョン放送受信装置と同じチャンネルを自動的に選局するように、前記他のテレビジョン放送受信装置を制御可能な第１の視聴モードと、当該テレビジョン放送受信装置の選局操作が行われても、前記他のテレビジョン放送受信装置の選局動作を制御しない第２の視聴モードと、を有し、前記少なくとも２つのモードのうち、いずれか一方のモードを選択するためのユーザ操作を受け付けるステップと、ユーザにより選択されたモードが前記第１の視聴モードである場合、前記他のテレビジョン放送受信装置に対して、チャンネルを選局するための制御情報を通知する通知ステップと、を備えることを特徴とする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】